(57)【要約】【課題】本発明は、オーディオ情報を含んでいるウェブページを快速にサーチングするウェブページのサーチング方法を提供する。【解決手段】本発明に係るウェブページのサーチングの方法は、電子デバイスのディスプレイに表示されるオーディオ情報を含んでいるウェブページウィンドウをサーチングし、作成されている複数のウェブページウィンドウに記号を分配するステップと、ユーザのサーチングの操作に応じて、前記オーディオ情報を含んでいるウェブページウィンドウに対応する記号を獲得するステップと、前記獲得した記号に基づいて、前記オーディオ情報を含んでいるウェブページウィンドウを表記するステップと、を備える。【選択図】図１
2010287236.tif 000002
【特許請求の範囲】
【請求項１】
電子デバイスのディスプレイに表示されるオーディオ情報を含んでいるウェブページウィンドウをサーチングする方法であって
作成されている複数のウェブページウィンドウに記号を分配するステップと、
ユーザのサーチングの操作に応じて、前記オーディオ情報を含んでいるウェブページウィンドウに対応する記号を獲得するステップと、
前記獲得した記号に基づいて、前記オーディオ情報を含んでいるウェブページウィンドウを表記するステップと、
を備えることを特徴とするウェブページのサーチング方法。
【請求項２】
前記ウェブページのサーチング方法は、
前記全てのウェブページウィンドウの数量を記録するステップと、
前記アクティブ状態のウェブページウィンドウに対応する記号を獲得するステップと、
前記全てのウェブページウィンドウの数量と、前記アクティブ状態のウェブページウィンドウに対応する記号と、所定の音量分配規則と、に基づいて、一組の音量値を計算して獲得し、前記電子デバイスのオーディオチャネルを介して前記音量値を出力するステップと、
をさらに備えることを特徴とする請求項１に記載のウェブページのサーチング方法。
【請求項３】
前記所定の音量分配規則は、第一音量分配規則を含み、
前記該第一音量分配規則は、前記アクティブ状態のウェブページウィンドウを基準として、前記オーディオ情報を含んでいるウェブページウィンドウと前記アクティブ状態のウェブページウィンドウとの相対位置に基づいて、前記オーディオ情報を含んでいるウェブページウィンドウに適切な音量値を分配することを特徴とする請求項２に記載のウェブページのサーチング方法。
【請求項４】
前記所定の音量分配規則は、第二音量分配規則を含み、
前記第二音量分配規則は、前記オーディオ情報を含んでいるウェブページウィンドウと前記アクティブ状態のウェブページウィンドウとの距離に基づいて、前記オーディオ情報を含んでいるウェブページウィンドウに異なるレベルの音量値を分配することを特徴とする請求項２に記載のウェブページのサーチング方法。
【請求項５】
電子デバイスのディスプレイに表示されるオーディオ情報を含んでいるウェブページウィンドウをサーチングする方法であって、
ウェブページウィンドウの作成順序に基づいて、作成されている複数のウェブページウィンドウに記号をそれぞれ分配するステップと、
前記全てのウェブページウィンドウの数量を記録するステップと、
アクティブ状態のウェブページウィンドウに対応する記号を獲得するステップと、
ユーザのサーチングの操作に応じて、前記全てのウェブページウィンドウの数量と、前記作成されているウェブページウィンドウに対応する記号と、前記アクティブ状態のウェブページウィンドウに対応する記号と、前記所定の音量分配規則と、に基づいて、前記オーディオ情報を含んでいるウェブページウィンドウにおけるオーディオ情報を出力するステップと、
を備えることを特徴とするウェブページのサーチング方法。
【発明の詳細な説明】
【技術分野】
【０００１】
本発明は、ウェブページのサーチング方法に関し、特に開いている複数のウェブページウィンドウからオーディオ情報を含むウェブページウィンドウを快速にサーチングするウェブページのサーチング方法に関するものである。
【背景技術】
【０００２】
現在、インターネットは人々が情報を獲得する重要な方途になっている。ユーザは、電子デバイスにおけるインターネット閲覧装置を利用してインターネットを閲覧する。
【０００３】
例えば、前記インターネット閲覧装置は、コンピュータにおけるウィンドウズ（Windows）（登録商標）操作システムが提供するＩＥ（Internet Explorer）（登録商標）ブラウザである。ユーザは、前記ＩＥブラウザを利用してマルチメディア情報を含むウェブページを獲得する一方、前記マルチメディア情報に対応する画像、文字及び音声はコンピュータのディスプレイ及びスピーカーによってそれぞれ出力される。
【０００４】
ユーザは、前記ＩＥブラウザを利用してマルチメディア情報を含む複数のウェブページを獲得すると、コンピュータの操作システムは複数のウェブページウィンドウを作成して、複数のウェブページにおける情報をそれぞれ表示する。しかし、複数のウェブページからオーディオ情報を含むウェブページをサーチングする場合、複数のウェブページをそれぞれ開ける必要がある。このようなサーチングの方法は、複雑で、ユーザに不便をもたらす。  
【発明の概要】
【発明が解決しようとする課題】
【０００５】
前記課題を解決するために、本発明は、オーディオ情報を含んでいるウェブページを快速にサーチングするウェブページのサーチング方法を提供する。
【課題を解決するための手段】
【０００６】
本発明に係るウェブページのサーチングの方法は、電子デバイスのディスプレイに表示されるオーディオ情報を含んでいるウェブページウィンドウをサーチングし、作成されている複数のウェブページウィンドウに記号を分配するステップと、ユーザのサーチングの操作に応じて、前記オーディオ情報を含んでいるウェブページウィンドウに対応する記号を獲得するステップと、前記獲得した記号に基づいて、前記オーディオ情報を含んでいるウェブページウィンドウを表記するステップと、を備える。
【０００７】
前記ウェブページのサーチング方法は、前記全てのウェブページウィンドウの数量を記録するステップと、前記アクティブ状態のウェブページウィンドウに対応する記号を獲得するステップと、前記全てのウェブページウィンドウの数量と、前記アクティブ状態のウェブページウィンドウに対応する記号と、所定の音量分配規則と、に基づいて、一組の音量値を計算して獲得し、前記電子デバイスのオーディオチャネルを介して前記音量値を出力するステップと、をさらに備える。
【０００８】
前記所定の音量分配規則は、第一音量分配規則を含み、前記該第一音量分配規則は、前記アクティブ状態のウェブページウィンドウを基準として、前記オーディオ情報を含んでいるウェブページウィンドウと前記アクティブ状態のウェブページウィンドウとの相対位置に基づいて、前記オーディオ情報を含んでいるウェブページウィンドウに適切な音量値を分配する。
【０００９】
前記所定の音量分配規則は、第二音量分配規則を含み、前記第二音量分配規則は、前記オーディオ情報を含んでいるウェブページウィンドウと前記アクティブ状態のウェブページウィンドウとの距離に基づいて、前記オーディオ情報を含んでいるウェブページウィンドウに異なるレベルの音量値を分配する。
【００１０】
本発明に係るウェブページのサーチングの方法は、電子デバイスのディスプレイに表示されるオーディオ情報を含んでいるウェブページウィンドウをサーチングし、ウェブページウィンドウの作成順序に基づいて、作成されている複数のウェブページウィンドウに記号をそれぞれ分配するステップと、前記全てのウェブページウィンドウの数量を記録するステップと、アクティブ状態のウェブページウィンドウに対応する記号を獲得するステップと、ユーザのサーチングの操作に応じて、前記全てのウェブページウィンドウの数量と、前記作成されているウェブページウィンドウに対応する記号と、前記アクティブ状態のウェブページウィンドウに対応する記号と、前記所定の音量分配規則と、に基づいて、前記オーディオ情報を含んでいるウェブページウィンドウにおけるオーディオ情報を出力するステップと、を備える。
【発明の効果】
【００１１】
従来の技術と比べると、電子デバイスは、作成されている複数のウェブページウィンドウに記号を分配し、作成されているウェブページウィンドウがオーディオ情報を含んでいるかを判断し、且つオーディオ情報を含んでいるウェブページウィンドウに対応する記号を記録する。電子デバイスは、前記記録された記号によって前記オーディオ情報を含んでいるウェブページウィンドウをユーザに通知する。これによって、複数のウェブページウィンドウをそれぞれ開ける必要がなく、オーディオ情報を含んでいるウェブページをサーチングすることができる。
【図面の簡単な説明】
【００１２】
【図１】本発明のウェブページの閲覧機能を有する電子デバイスのブロック図である。
【図２】本発明の第一実施例に係るウェブページのサーチング方法のフローチャートである。
【図３】本発明の第二実施例に係るウェブページのサーチング方法のフローチャートである。
【図４】。音量値の運算表におけるフォーミュラによって生成された音量出力表である。
【発明を実施するための形態】
【００１３】
以下、図面を参照して、本発明の実施例について説明する。
【００１４】
本実施例に係るウェブページのサーチング方法は、作成されている複数のウェブページウィンドウからオーディオ情報を含んでいるウェブページウィンドウを快速にサーチングすることができる。
【００１５】
図１を参照すると、ウェブページのサーチング方法を応用する電子デバイス１０は、記憶ユニット１１及びスピーカー１２を備え、前記ウェブページのサーチング方法は、前記記憶ユニット１１に格納されているプログラムコードによって実行される。
【００１６】
前記電子デバイス１０は、前記ウェブページのサーチング方法を実行してから、前記オーディオ情報を含んでいるウェブページウィンドウの位置をユーザに通知する。通知方式は、視角通知方式（即ち、ウェブページウィンドウをハイライト（Highlight）方式で表示すること）、音声通知方式（即ち、各々の音声出力チャネルから出力される音量を制御して、前記電子デバイス１０のスピーカーから出力すること）、又は視角通知方式と音声通知方式を組み合わせた方式を含む。 
【００１７】
電子デバイス１０は、個人情報端末（ＰＤＡ）、コンピュータ、携帯電話などのウェブページの閲覧が可能なデバイスである。
【００１８】
図２を参照すると、第一実施例に係るウェブページのサーチング方法は、以下のようなステップ（Ｓ２００〜Ｓ２０４）を備える。
【００１９】
ステップＳ２００において、作成されている複数のウェブページウィンドウに記号を分配する。例えば、ユーザが前記電子デバイス１０のＩＥブラウザを利用して５つのウェブページウィンドウを作成した時、前記電子デバイスは１〜５の数字記号を生成し、且つ前記５つの数字記号を前記５つのウェブページウィンドウにそれぞれ分配する。
【００２０】
ステップＳ２０２において、ユーザのサーチング操作に応じて、前記オーディオ情報を含んでいるウェブページウィンドウに対応する記号を獲得する。例えば、ＩＥブラウザのメニューバーに検索ボタンを設置し、ユーザはマウスで前記検索ボタンをクリックすると、前記電子デバイス１０は、前記作成されている複数のウェブページウィンドウにオーディオ情報が含まれているかを判断する。前記作成されている複数のウェブページにオーディオ情報が含まれている場合、前記電子デバイス１０は、前記ウェブページウィンドウに分配されている記号から前記オーディオ情報を含んでいるウェブページウィンドウに対応する記号を選択する。その中、ウェブページにオーディオ情報を含んでいるかの判断は、ウェブページに前記電子デバイス１０におけるマルチメディアプレイヤーが使用されているかを判断するか、又はウェブページにＷＡＶ、ＭＰ３などの特定の形式のオーディオファイルが含まれているかを判断することによって実現される。
【００２１】
ステップＳ２０４において、前記獲得した記号に基づいて前記オーディオ情報を含んでいるウェブページウィンドウを表記する。例えば、前記獲得した記号に対応するウェブページウィンドウのタイトルバーを、ハイライト方式で前記オーディオ情報を含んでいるウェブページウィンドウに表記する。
【００２２】
前記ウェブページのサーチング方法を採用すると、ユーザは、前記作成されている複数のウェブページウィンドウをそれぞれ開ける必要がなく、前記オーディオ情報を含んでいるウェブページをサーチングすることができる。例えば、前記作成している５つのウェブページの中の１つのウェブページにオーディオ情報が含まれている場合、ＩＥブラウザのメニューバーの検索ボタンをクリックすると、前記電子デバイス１０の表示パネルに、前記オーディオ情報を含んでいるウェブページウィンドウに対応するタイトルバーがハイライト方式で表示される。これによって、ユーザは、前記オーディオ情報を含んでいるウェブページを便利且つ快速にサーチングすることができる。
【００２３】
図３を参照すると、第二実施例に係るウェブページのサーチング方法は、以下のようなステップ（Ｓ３００〜Ｓ３０４）を備える。
【００２４】
ステップＳ３００において、作成されている複数のウェブページウィンドウの数量を記録し、且つ前記ウェブページウィンドウの作成順序に従ってウェブページウィンドウに記号を分配する。例えば、ユーザが前記電子デバイス１０のＩＥブラウザを利用して１０個のウェブページを作成すると、前記電子デバイス１０は、Ｗｉｎｄｏｗｓ（登録商標）操作システムのウェブページウィンドウの作成順序に関連する１〜１０の一連の数字記号を生成する。
【００２５】
ステップ３０２において、アクティブ（Active）状態のウェブページウィンドウ（即ち、作成されている複数のウェブページウィンドウの中の現在閲覧しているウェブページウィンドウ）に対応する記号を獲得する。
【００２６】
ステップ３０４において、ユーザのサーチングの操作に応じて、前記作成されている全てのウェブページウィンドウの数量と、前記作成されているウェブページウィンドウに対応する記号と、前記アクティブ状態のウェブページウィンドウに対応する記号と、所定の音量分配規則と、に基づいて、前記オーディオ情報を含んでいるウェブページウィンドウにおけるオーディオ情報を、音声出力チャネルを介して出力する。
【００２７】
前記所定の音量分配規則は、第一音量分配規則と第二音量分配規則を含む。
【００２８】
前記第一音量の分配規則は、前記アクティブ状態のウェブページウィンドウを基準として、前記オーディオ情報を含んでいるウェブページウィンドウと前記アクティブ状態のウェブページウィンドウとの相対位置に基づいて、前記オーディオ情報を含んでいるウェブページウィンドウに適切な音量値を分配する。前記音量値は、左チャネルの音量値及び右チャネルの音量値を含む。具体的に言えば、前記第一音量分配規則では、前記オーディオ情報を含んでいるウェブページウィンドウが前記アクティブ状態のウェブページウィンドウの左側に位置すれば、左チャネルに分配される音量値が右チャネルに分配される音量値より大きく、前記オーディオ情報を含んでいるウェブページウィンドウが前記アクティブ状態のウェブページウィンドウの右側に位置すれば、左チャネルに分配される音量値が右チャネルに分配される音量値より小さい。
【００２９】
前記第二音量分配規則は、前記オーディオ情報を含んでいるウェブページウィンドウと前記アクティブ状態のウェブページウィンドウとの距離に基づいて、オーディオ情報を含んでいるウェブページウィンドウに異なるレベルの音量値を分配する。具体的に言えば、前記第二音量分配規則では、前記アクティブ状態のウェブページウィンドウから遠く離れているオーディオ情報を含んでいるウェブページウィンドウには小さいレベルの音量値が分配される。例えば、ユーザが７つのウェブページウィンドウを作成し、前記アクティブ状態のウェブページウィンドウが第四ウェブページウィンドウである場合、第一ウェブページウィンドウにオーディオ情報が含まれれば、１０％との第一レベルの音量値を分配し、第二ウェブページウィンドウにオーディオ情報が含まれれば、５０％との第二レベルの音量値を分配し、第三ウェブページウィンドウにオーディオ情報が含まれれば、９０％との第三レベルの音量値を分配する。
【００３０】
ユーザがウェブページを閲覧する時、前記電子デバイス１０の左側及び右側のスピーカー１２から出力される異なるレベルの音量値に基づいて、前記オーディオ情報を含んでいるウェブページウィンドウが前記アクティブ状態のウェブページウィンドウの左側または右側に位置するかを判断する。具体的に言えば、前記電子デバイス１０の左側のスピーカー１２から出力される音量値が右側のスピーカー１２から出力される音量値より大きければ、前記オーディオ情報を含んでいるウェブページウィンドウは前記アクティブ状態のウェブページウィンドウの左側に位置すると判断される。前記電子デバイス１０の左側のスピーカー１２から出力される音量値が右側のスピーカー１２から出力される音量値より小さければ、前記オーディオ情報を含んでいるウェブページウィンドウは前記アクティブ状態のウェブページウィンドウの右側に位置すると判断される。
【００３１】
さらに、音量値のレベルを判断することによって、前記オーディオ情報を含んでいるウェブページウィンドウの精確な位置を特定する。表１は、前記所定の音量分配規則に基づいて数学モデリングして獲得した音量値の計算式の表を示す。
【００３２】
【表１】
2010287236.tif 000003
【００３３】
表１の中で、Ｎは、作成されている複数のウェブページウィンドウの数量を表し、Ｋは、アクティブ状態のウェブページウィンドウに対応する記号を表徴し、Ｘは、オーディオ情報を含んでいるウェブページウィンドウに対応する記号を表し、Ｄ因子は、０〜１の定数であり、Ｌは、左チャネルを表し、Ｒは、右チャネルを表す。前記Ｄ因子は、左チャネルと右チャネルとの音量値の不平衡を実現するために設定される。本実施例において、Ｄ因子は、０.７５である。
【００３４】
表１を参照すると、Ｋ＜（Ｎ＋１）/２である場合、Ｘ＜Ｋであれば、前記オーディオ情報を含んでいるウェブページウィンドウは前記アクティブ状態のウェブページウィンドウの左側に位置することを表すので、右チャネル（Ｒ）の音量値にＤ因子を掛ける（即ち、右チャネル（Ｒ）から出力される音量が左チャネル（Ｌ）から出力される音量より小さい）。Ｘ＝Ｋであれば、前記オーディオ情報を含んでいるウェブページウィンドウは前記アクティブ状態のウェブページウィンドウであることを表すので、右チャネル（Ｒ）から出力される音量と左チャネル（Ｌ）から出力される音量とが等しい。Ｘ＞Ｋであれば、前記オーディオ情報を含んであるウェブページウィンドウは前記アクティブ状態のウェブページウィンドウの右側に位置することを表すので、左チャネル（Ｌ）の音量値にＤ因子を掛ける（即ち、左チャネル（Ｌ）から出力される音量が右チャネル（Ｒ）から出力される音量より小さい）。Ｋ＞＝（Ｎ＋１）/２である場合も上述したＫ＜（Ｎ＋１）/２である場合と同じに、前記オーディオ情報を含んでいるウェブページウィンドウと前記アクティブ状態のウェブページウィンドウとの間の位置に基づいて、左チャネル（Ｌ）及び右チャネル（Ｒ）に音量を分配する。ＸがＫから遠ざかるほど、Ｘの左チャネル（Ｌ）及び右チャネル（Ｒ）から出力される音量値のレベルが小さく、ＸがＫに近づくほど、Ｘの左チャネル（Ｌ）及び右チャネル（Ｒ）から出力される音量値のレベルが大きい。
【００３５】
本実施例において、前記作成されている複数のウェブページウィンドウの数量と、前記ウェブページウィンドウに対応する記号と、前記所定の音量分配規則と、に基づいて、事前に音量出力表を生成する。例えば、Ｎが１０である場合、図４のような音量出力表を計算して獲得し、前記電子デバイス１０は、前記アクティブ状態のウェブページウィンドウに対応する記号を獲得した後、前記獲得した記号に基づいて音量出力表から一組の音量値を選択して、スピーカー１２から出力される音量を制御する。また、前記作成されている複数のウェブページウィンドウの数量Ｎと、前記全てのウェブページウィンドウに対応する記号と、前記アクティブ状態のウェブページウィンドウに対応する記号Ｋと、前記所定の音量分配規則と、に基づいて、一組の音量値を直接計算して獲得し、前記電子デバイス１０は、前記一組の音量値に基づいてスピーカー１２から出力される音量を制御する。
【符号の説明】
【００３６】
１０  電子デバイス
１１  記憶ユニット
１２  スピーカー
【図１】
2010287236.tif 000004
【図２】
2010287236.tif 000005
【図３】
2010287236.tif 000006
【図４】
2010287236.tif 000007